(57)【要約】【課題】戸棚の開口に対して回転可能に設けられ、前記開口を閉じる扉に設けられるフックと、前記戸棚の開口側に設けられ、前記フックと係脱可能で、係合すると、前記開口を閉じた状態の前記扉の開方向の回転を禁止するロック機構本体とからなるロック装置に関し、低コストで、取付の手間がかからないロック装置を提供することを課題とする。【解決手段】ロック装置をロック解除すると、ロック状態の扉を開方向に押すオープナ機構５をロック機構本体３に組み込む。【選択図】図１
2011006941.tif 000002
【特許請求の範囲】
【請求項１】
戸棚の開口に対して回転可能に設けられ、前記開口を閉じる扉に設けられるフックと、
前記戸棚の開口側に設けられ、前記フックと係脱可能で、係合すると、前記開口を閉じた状態の前記扉の開方向の回転を禁止するロック機構本体とからなるロック装置において、
前記ロック装置をロック解除すると、前記ロック状態の前記扉を開方向に押すオープナ機構を前記ロック機構本体に組み込んだことを特徴とするロック装置。
【請求項２】
前記ロック機構本体は、
前記開口の開口面方向に延びる第１ガイドと、
該第１ガイドに移動可能に係合し、前記扉の全閉時の前記フックと係脱可能なロック部を有するロック部材と、
該ロック部材が当接することにより、前記ロック部材の一方の方向への移動を禁止する第１ストッパと、
前記第１ストッパに当接する方向に前記ロック部材を付勢する第１付勢手段と、
を有し、
前記フックは、
前記扉の全閉時に前記ロック部材のロック部が係脱可能で、係合時、全閉状態から開方向へ移動する前記扉のフックの移動軌跡と直交する平面と平行な面であって、前記ロック部材のロック部と面当接し、前記扉の開方向への移動を禁止するストッパ面を有し、
前記ロック部材のロック部、前記フックのうち、少なくともどちらか一方に、前記扉が閉方向に移動し、前記ロック部材と前記フックとが当接すると、前記ロック部材を前記第１ストッパから離れる方向に移動させる力が発生する第１斜面を設けたことを特徴とする請求項１記載のロック装置。
【請求項３】
前記ロック機構本体は、
前記第１付勢手段の付勢力に抗して、前記第１ストッパを押して、前記ロック部材を移動させ、前記ロック部と前記フックとの係合を解除するロック解除手段を有し、
該ロック解除手段は、
前記第１ガイドに移動可能に設けられ、前記第１ストッパが設けられたスライダと、
前記第１ガイドに設けられ、前記第１ストッパが当接し、前記スライダの一方の方向への移動を禁止する第２ストッパと、
前記第１ストッパを前記第２ストッパに当接する方向に前記スライダを付勢する第２付勢手段と、
からなり、
前記オープナ機構は、
前記ロック解除手段のスライダに設けられ、前記スライダの移動方向に延びる第２ガイドと、
該第２ガイドに移動可能に係合し、全閉時の前記扉の前記フックの先端部側に当接可能なオープン部材と、
前記ロック解除手段のスライダに設けられ、前記オープン部材が当接することにより、前記オープン部材の前記フックの先端側に当接する方向への移動を禁止する第３ストッパと、
前記第３ストッパに当接する方向に前記オープン部材を付勢する第３付勢手段と、
を有し、
前記オープン部材の一方の方向の端部側、前記フックの先端部側のうち、少なくともどちらか一方に、前記オープン部材が前記フックの先端部側に当接すると、前記扉を開方向に移動させる力が発生する第２斜面を設け、
フックのストッパ面と前記ロック機構本体のロック部材のロック部との係合が解除される前に、前記オープン部材が前記フックの先端部側に当接するように前記第３ストッパを設けたことを特徴とする請求項２記載のロック装置。
【請求項４】
前記ロック機構本体と、オープナ機構とは、同一筐体内に収容されていることを特徴とする請求項１乃至３のいずれかに記載のロック装置。
【発明の詳細な説明】
【技術分野】
【０００１】
本発明は、戸棚の開口に対して回転可能に設けられ、前記開口を閉じる扉に設けられるフックと、前記戸棚の開口側に設けられ、前記フックと係脱可能で、係合すると、前記開口を閉じた状態の前記扉の開方向の回転を禁止するロック機構本体とからなるロック装置に関する。
【背景技術】
【０００２】
扉が設けられた戸棚には、閉状態の扉が勝手に開かないようにロック装置が設けられている。
そして、ロック装置によってロック状態にある扉をロック解除した後は、手で扉を開けなければならない。
【０００３】
この問題点を解決するために、ロック解除された扉に開扉方向の力を与えるドアオープナ装置が提案されている（例えば、特許文献１参照）。
【先行技術文献】
【特許文献】
【０００４】
【特許文献１】特開２００３−２４７７７５号公報
【発明の開示】
【発明が解決しようとする課題】
【０００５】
しかし、ロック装置と、オープナ装置とは、それぞれ独立した別の装置である。よって、コストが高くなる問題点がある。
又、２つの装置を取り付けなければならないので、取り付けの手間がかかる問題点がある。
【０００６】
本発明は、上記問題点に鑑みてなされたもので、その課題は、低コストで、取付の手間がかからないロック装置を提供することにある。
【課題を解決するための手段】
【０００７】
上記課題を解決する請求項１に係る発明は、回転する扉側に設けられるフックと、前記扉によって閉じられる戸棚の開口側に設けられ、前記フックと係脱可能で、係合すると、前記開口を閉じた状態の前記扉の開方向の回転を禁止するロック機構本体とからなるロック装置において、前記ロック装置をロック解除すると、前記ロック状態の前記扉を開方向に押すオープナ機構を前記ロック機構本体に組み込んだことを特徴とするロック装置である。
【０００８】
請求項２に係る発明は、前記ロック機構本体は、前記開口の開口面方向に延びる第１ガイドと、該第１ガイドに移動可能に係合し、前記扉の全閉時の前記フックと係脱可能なロック部を有するロック部材と、該ロック部材が当接することにより、前記ロック部材の一方の方向への移動を禁止する第１ストッパと、前記第１ストッパに当接する方向に前記ロック部材を付勢する第１付勢手段と、を有し、前記フックは、前記扉の全閉時に前記ロック部材のロック部が係脱可能で、係合時、全閉状態から開方向へ移動する前記扉のフックの移動軌跡と直交する平面と平行な面であって、前記ロック部材のロック部と面当接し、前記扉の開方向への移動を禁止するストッパ面を有し、前記ロック部材のロック部、前記フックのうち、少なくともどちらか一方に、前記扉が閉方向に移動し、前記ロック部材と前記フックとが当接すると、前記ロック部材を前記第１ストッパから離れる方向に移動させる力が発生する第１斜面を設けたことを特徴とする請求項１記載のロック装置である。
【０００９】
請求項３に係る発明は、前記ロック機構本体は、前記第１付勢手段の付勢力に抗して、前記第１ストッパを押して、前記ロック部材を移動させ、前記ロック部と前記フックとの係合を解除するロック解除手段を有し、該ロック解除手段は、前記第１ガイドに移動可能に設けられ、前記第１ストッパが設けられたスライダと、前記第１ガイドに設けられ、前記第１ストッパが当接し、前記スライダの一方の方向への移動を禁止する第２ストッパと、前記第１ストッパを前記第２ストッパに当接する方向に前記スライダを付勢する第２付勢手段と、からなり、前記オープナ機構は、前記ロック解除手段のスライダに設けられ、前記スライダの移動方向に延びる第２ガイドと、該第２ガイドに移動可能に係合し、全閉時の前記扉の前記フックの先端部側に当接可能なオープン部材と、前記ロック解除手段のスライダに設けられ、前記オープン部材が当接することにより、前記オープン部材の前記フックの先端側に当接する方向への移動を禁止する第３ストッパと、前記第３ストッパに当接する方向に前記オープン部材を付勢する第３付勢手段と、を有し、前記オープン部材の一方の方向の端部側、前記フックの先端部側のうち、少なくともどちらか一方に、前記オープン部材が前記フックの先端部側に当接すると、前記扉を開方向に移動させる力が発生する第２斜面を設け、フックのストッパ面と前記ロック機構本体のロック部材のロック部との係合が解除される前に、前記オープン部材が前記フックの先端部側に当接するように前記第３ストッパを設けたことを特徴とする請求項２記載のロック装置である。
【００１０】
請求項４に係る発明は、前記ロック機構本体と、オープナ機構とは、同一筐体内に収容されていることを特徴とする請求項１乃至３のいずれかに記載のロック装置である。
【発明の効果】
【００１１】
請求項１−請求項４に係る発明によれば、前記ロック装置をロック解除すると、前記ロック状態の前記扉を開方向に押すオープナ機構を前記ロック機構本体に組み込んだことにより、ロック装置とオープナ装置とが、それぞれ独立した別の装置である場合に比べて、低コストである。
【００１２】
又、オープナ機構をロック機構本体に組み込んだことにより、独立したロック装置、オープナ装置をそれぞれ取り付ける場合に比べて、取り付けの手間がからない。
請求項２に係る発明によれば、前記フックは、前記扉の全閉時に前記ロック部材のロック部が係脱可能で、係合時、全閉状態から開方向へ移動する前記扉のフックの移動軌跡と直交する平面と平行な面であって、前記ロック部材のロック部と面当接し、前記扉の開方向への移動を禁止するストッパ面を有することで、フックとロック機構本体との係合力（ロック強度）が大きく、扉に地震等による開扉力が作用しても扉が開かない。
【００１３】
請求項３に係る発明によれば、前記オープナ機構は、前記ロック解除手段のスライダに設けられ、前記スライダの移動方向に延びる第２ガイドと、該第２ガイドに移動可能に係合し、全閉時の前記扉の前記フックの先端部側に当接可能なオープン部材と、前記ロック解除手段のスライダに設けられ、前記オープン部材が当接することにより、前記オープン部材の前記フックの先端側に当接する方向への移動を禁止する第３ストッパと、前記第３ストッパに当接する方向に前記オープン部材を付勢する第３付勢手段と、を有し、前記オープン部材の一方の方向の端部側、前記フックの先端部側のうち、少なくともどちらか一方に、前記オープン部材が前記フックの先端部側に当接すると、前記扉を開方向に移動させる力が発生する第２斜面を設け、フックのストッパ面と前記ロック機構本体のロック部材のロック部との係合が解除される前に、前記オープン部材が前記フックの先端部側に当接するように前記第３ストッパを設けたことにより、ロック解除手段を駆動して前記ロック部と前記フックとの係合を解除すれば、オープナ機構が作動して、扉が開く。よって、操作性が良い。
【００１４】
請求項４に係る発明によれば、前記ロック機構本体と、オープナ機構とは、同一筐体内に収容されたことにより、筐体を戸棚の開口側にねじ等で容易に取り付けることができる。
【図面の簡単な説明】
【００１５】
【図１】第１の形態のロック装置の分解斜視図である。
【図２】図１のロック装置を上から見た断面であって、扉を閉め、フックの先端部がロック部材に接触した状態を示す図である。
【図３】図１のロック装置を上から見た断面であって、図２の状態より更に扉が閉まった状態を示す図である。
【図４】図１のロック装置を上から見た断面であって、図３の状態より更に扉が閉まり、ロック直前を示す状態である。
【図５】図１のロック装置を上から見た断面であって、ロック状態を示す図である。
【図６】図１のロック装置を上から見た断面であって、操作レバーを操作してロック解除を始めた状態を示す図である。
【図７】図１のロック装置を上から見た断面であって、ロック解除中にオープナ機構が作動し、扉を開方向に押す状態を示す図である。
【図８】図１のロック装置を上から見た断面であって、操作レバーへの操作力を解除した状態を示す図である。
【図９】図１に示すロック装置が設けられた戸棚を示す図である。
【図１０】第２の形態を示す図である。
【図１１】第２の形態を示す図である。
【図１２】第３の形態を示す図である。
【図１３】第４の形態を示す図である。
【発明を実施するための形態】
【００１６】
『第１の形態』
＜全体構成＞
ロック装置の分解斜視図である図１と、図１のロック装置を上から見た断面であって、扉を閉め、フックの先端部がロック部材に接触した状態を示す図である図２、図１に示すロック装置が設けられた戸棚を示す図である図９とを用いて全体構成を説明する。
【００１７】
本形態のロック装置は、フック１と、ロック機構本体３とからなっている。フック１は、Ｌ字形をなし、戸棚４の開口４ａに対してヒンジ６を用いて回転可能に設けられ、開口を閉じる扉２（図９参照）の内側の面の下部に木ねじ８を用いて取り付けられる。又、ロック機構本体３は、戸棚４の開口４ａ側に設けられる。このロック機構本体３は、フック１と係脱可能で、係合すると、開口を閉じた状態の扉の開方向の回転を禁止するものである。
【００１８】
そして、本形態のロック機構本体３には、ロック装置をロック解除すると、ロック状態の扉を開方向に押すオープナ機構５が組み込まれている。
ロック機構本体３とオープナ機構５とは、一面が開放面となった直方体状のケース（筐体）７内に収容されている。そして、ケース７の開放面は、開放面の周囲の端面に当接する蓋９で覆われる。
【００１９】
本形態では、ケース７は、図２，図９に示すように、戸棚４の底板４ｂをくり抜いた凹部４ｃに配置されている。そして、蓋９の両側に設けられた穴９ａ、ケース７の両側に設けられた張り出し部７ａに設けられた穴７ｂを挿通する木ねじ１１で、蓋９がケース７に取り付けられ、更に、ケース７は戸棚４の底板４ｂに取り付けられている。
【００２０】
本形態では、図２に示すように、凹部４ｃの深さｄは、ケース７の奥行きｄ１と蓋９の厚さｄ２との和となるように設定し、蓋９と底板４ｂとが面一となるようにした。
更に、戸棚４の底板４ｂには、後述するロック装置のロック解除手段１９のレバー本体部２７ｂとの干渉を防ぐ切り欠き４ｄと、フック１との干渉を防ぐ切り欠き４ｅが形成されている。
＜フック１とロック機構本体３＞
図１，図２を用いて、ロック機構本体３とフック１を説明する。ケース７の内部は、開口４ａの開口面方向に延びる第１ガイド１３となっている。
【００２１】
第１ガイド１３には、直方体状のロック部材１５が移動可能に係合している。このロック部材１５の内部は、第１ガイド１３の移動方向と直交する隔壁１５ａを介して、一方の側（図１，２において矢印Ａ側）には第２室１５ｃが、他方の側（図１，２において矢印Ｂ側）には第１室１５ｂが形成されている。
【００２２】
第１室１５ｂの第１ガイド１３の他方の側には、矩形状の穴１５ｄが形成されている。第２室１５ｃの一方の側には、中心部に穴１５ｅが形成された壁部１５ｆが形成されている。更に、第２室１５ｃの蓋９と対向する面、ケース７の開放面と対向する面は開放面となっている。尚、穴１５ｅの径は、スプリング４５の外径より大きく設定されている。
【００２３】
隔壁１５ａの第２室１５ｃ側には、全閉時の扉２に設けられたフック１と係脱可能なロック部１５ｇが形成されている。ロック部１５ｇには、全閉時の扉２の開方向と直交する平面と平行なストッパ面１５ｈが形成されている。又、ロック部１５ｇには、フック１の移動軌跡に対して斜めに交差する斜面１５ｉが形成されている。
【００２４】
又、後述するスライダ２１には、ロック部材１５の壁部１５ｆが当接可能なつば部（第１ストッパ）２１ｄが形成されている。
そして、一方の端部側がロック部材１５の穴１５ｄを介してロック部材１５の隔壁１５ａに当接し、他方の端部がケース７の内壁面に当接するスプリング（第１付勢手段）１７により、ロック部材１５は、前述したつば部（第１ストッパ）２１ｄに当接する方向に付勢されている。
【００２５】
次に、フック１は、水平面上にあってロック部材１５の移動方向と直交する軸に関して対称な矢印形状となっている。そして、扉２が閉方向に回転すると、フック１の先端側は、ケース７の蓋９に形成された開口９ｄからケース７に収納されたロック機構本体の第2室１５ｃの内部に進入可能となっている。
【００２６】
フック１は、扉２の全閉時に、全閉状態から開方向へ移動する扉２のフック１の移動軌跡と直交する平面と平行な面であって、ロック部材１５のロック部１５ｇのストッパ面１５ｈと面当接し、扉２の開方向への移動を禁止するストッパ面１ａが形成されている。
【００２７】
更に、フック１の先端側には、扉２が閉方向に移動し、ロック部材１５の斜面１５ｉと当接すると、ロック部材１５をつば部（第１ストッパ）２１ｄから離れる方向に移動させる力が発生する斜面１ｂが形成されている。
【００２８】
尚、本形態では、ロック部材１５を第１ストッパから離れる方向に移動させる力が発生する斜面（第１斜面）として、フック１、ロック部材１５に斜面１ｂ、１５ｉを形成したが、斜面を形成する部材は、どちらか一方であってもよい。
【００２９】
ロック機構本体３に戻って、ロック機構本体３は、スプリング（第１付勢手段）１７の付勢力に抗して、第１ストッパとしてのつば部２１ｄを押して、ロック部材１５を移動させ、ロック部材１５とフック１との係合を解除するロック解除手段１９を有している。
【００３０】
このロック解除手段１９は、スライダ２１と第２ストッパ部材（第２ストッパ）２３と第２付勢手段であるスプリング３３とからなっている。
スライダ２１は、円柱状で、長手方向（ロック部材１５の移動方向）に沿って、一方の側から中径部２１ａ、大径部２１ｂ、小径部２１ｃとなっている。大径部２１ｂと小径部２１ｃとの境界には、前述したつば部（第１ストッパ）２１ｄが設けられている。
【００３１】
第１ガイド（ケース７）１３には、つば部（第１ストッパ）２１ｄが当接し、スライダ２１の一方の方向への移動を禁止する第２ストッパ部材２３が設けられている。第２ストッパ部材２３の中央部には、スライダ２１の大径部２１ｂが隙間をもって挿通する穴２３ａが形成されている。そして、第２ストッパ部材２３の他方の側の面には、スライダ２１のつば部（第１ストッパ）２１ｄが当接可能となっている。
【００３２】
第２ストッパ部材２３には、ケース７の開放面および開放面と対向する面方向に突出した突出部２３ｂ、２３ｃが形成されている。
突出部２３ｃはケース７の開放面と対向した面に形成された凹部７ｃに係合し、ケース７に固定されている。又、突出部２３ｂは、蓋９の凹部９ｃに係合している。
【００３３】
スライダ２１の中径部２１ａの周面には、おねじが刻設されたおねじ部２１ｅが形成されている。
スライダ２１には、操作レバー２７が取り付けられる。この操作レバー２７には、スライダ２１の中径部２１ａが挿通する穴２７ａが形成されている。そして、穴２７ａを挿通したスライダ２１の中径部２１ａのおねじ部２１ｅにナット２９が螺合することにより、スライダ２１に操作レバー２７が取り付けられている。又、操作レバー２７には、蓋９のスリット９ｂを介して外部に突出するレバー本体部２７ｂが形成されている。このレバー本体部２７ｂの外部に突出した部分には、木ねじ３０を用いて把手３１が取り付けられている。
【００３４】
スライダ２１の大径部２１ｂに巻回され、一端部が第２ストッパ部材２３に当接し、他端部が操作レバー２７に当接するスプリング３３（第２付勢手段）の付勢力により、スライダ２１のつば部（第１ストッパ）２１ｄは、第２ストッパ部材（第２ストッパ）２３に当接する方向に付勢されている。
＜オープナ機構５＞
図１，図２を用いて、オープナ機構５を説明する。
【００３５】
ロック部材１５の第２室１５ｃには、中空状で、全閉時の扉２のフック１の先端部側に当接可能なオープン部材４１が配置されている。このオープン部材４１は、第２室１５ｃの内壁面（第２ガイド）に案内されて、スライダ２１の移動方向に移動可能となっている。よって、ロック部材１５の第２室１５ｃの内壁面は、オープン部材４１をスライダの移動方向に案内する第２ガイドとして機能する。
【００３６】
又、オープン部材４１の一方の側には、穴４１ａが形成されている。スライダ２１の小径部２１ｃは、ロック部材１５の穴１５ｅを挿通して第２室１５ｃ内に突出している。そして、スライダ２１の小径部２１ｃは、隙間をもって挿通するオープン部材４１の穴４１ａを介してオープン部材４１内に突出している。オープン部材４１内に突出したスライダ２１の小径部２１ｃには、抜け止め部材４３が係合している。この抜け止め部材４３は、オープン部材４１の内壁面が当接することにより、オープン部材４１のフック１の先端側に当接する方向への移動を禁止する第３ストッパとして機能する。
【００３７】
スライダ２１の小径部２１ｃに巻回され、一端部がつば部（第１ストッパ）２１ｄに当接し、他端部がオープン部材４１に当接するスプリング４５（第３付勢手段）の付勢力により、オープン部材４１は抜け止め部材（第３ストッパ）４３に当接する方向に付勢されている。
【００３８】
そして、オープン部材４１の他方の端部側には、オープン部材４１がフック１の先端部側の斜面１ｂに当接すると、扉２を開方向に移動させる力が発生する斜面４１ｂが形成されている。
【００３９】
又、抜け止め部材（第３ストッパ）４３を設けられる箇所は、本形態では、ロック状態（図５参照）において、フック１の斜面１ｂとオープン部材４１の斜面４１ｂとが当接或は若干の隙間を介して対向するような箇所に設定した。尚、抜け止め部材（第３ストッパ）４３を設けられる箇所は、フック１のストッパ面１ａとロック機構本体３のロック部材１５のロック部１５ｇのストッパ面１５ｈとの係合が解除される前に、オープン部材４１がフック１の先端部側に当接するような箇所であればよい。
【００４０】
更に、本形態では、扉２を開方向に移動させる力が発生する斜面（第２斜面）として、フック１、オープン部材４１に斜面１ｂ、４１ｂを形成したが、斜面を形成する部材は、どちらか一方であってもよい。
＜作動＞
図２−図８を用いて、本形態のロック装置の作動を説明する。図３は図１のロック装置を上から見た断面であって、図２の状態より更に扉が閉まった状態を示す図、図４は図１のロック装置を上から見た断面であって、図３の状態より更に扉が閉まり、ロック直前を示す状態、図５は図１のロック装置を上から見た断面であって、ロック状態を示す図、図６は図１のロック装置を上から見た断面であって、操作レバーを操作してロック解除を始めた状態を示す図、図７は図１のロック装置を上から見た断面であって、ロック解除中にオープナ機構５が作動し、扉を開方向に押す状態を示す図、図８は図１のロック装置を上から見た断面であって、操作レバーへの操作力を解除した状態を示す図である。
【００４１】
(1) 扉２が開いた状態
図８を用いて、ロック機構本体３を説明する。図に示すように、スプリング３３の付勢力により、スライダ２１のつば部２１ｄは、第２ストッパ部材２３に当接している。
【００４２】
一方、ロック部材１５は、スプリング１７の付勢力により、その壁部１５ｆがスライダ２１のつば部２１ｄに当接している。この時、ロック部材１５のロック部１５ｇは、蓋９の開口９ｄに位置している。
【００４３】
(2) 扉２を閉める場合
扉２が開いた状態（図８の状態）から扉２を閉めていくと、図２に示すように、フック１が蓋９の開口９ｄからケース７に収納されたロック機構本体３の第２室１５ｃ内へ挿入され、フック１の先端側に形成された斜面１ｂがロック部材１５のロック部１５ｇの斜面１５ｉを押す。これにより、ロック部材１５をつば部２１ｄから離れる方向に移動させる力が発生する。
【００４４】
図２−図３に示すように、更にフック１がケース７に収納されたロック機構本体３の第２室１５ｃ内に挿入されると、ロック部材１５はスプリング１７の付勢力に抗して、他方の方向に移動する。
【００４５】
図４に示すように、フック１がケース７に収納されたロック機構本体３の第２室１５ｃ内に挿入され、フック１の斜面１ｂがロック部材１５のロック部１５ｇの斜面１５ｉから離れる。
【００４６】
すると、図５に示すように、スプリング１７の付勢力によりロック部材１５は一方の方向に移動し、壁部１５ｆがスライダ２１のつば部２１ｄに当接する。
このロック部材１５の移動により、ロック部材１５のロック部１５ｇのストッパ面１５ｈと、フック１のストッパ面１ａとが面当接可能となる。よって、扉２を開方向に移動すると、フック１のストッパ面１ａがロック部材１５のロック部１５ｇのストッパ面１５ｈに面当接し、それ以上の開方向への移動を禁止するロック状態となる。
【００４７】
尚、本形態では、
(3) 扉２を開ける場合
図５のロック状態から扉２を開ける場合、図６に示すように、スプリング３３の付勢力に抗してロック解除手段１９の操作レバー２７を蓋９のスリット９ｂに沿って他方の方向へ移動させる。すると、スライダ２１も他方の方向に移動する。スライダ２１が他方の方向へ移動することにより、つば部２１ｄがロック部材１５の壁部１５ｆを押す。すると、ロック部材１５はスプリング１７の付勢力に抗して他方の方向へ移動する。
【００４８】
又、本形態では、抜け止め部材（第３ストッパ）４３を設けられる箇所は、ロック状態（図５参照）において、フック１の斜面１ｂとオープン部材４１の斜面４１ｂとが当接或は若干の隙間を介して対向するような箇所に設定したので、スライダ２１が他方の方向へ移動すると、スプリング４５が圧縮され、その弾性反発力により、オープン部材４１はフック１の斜面１ｂを押すことにより、扉２を開方向に移動させる力が発生する。しかし、ロック状態、即ち、フック１のストッパ面１ａがロック部材１５のロック部１５ｇのストッパ面１５ｈに面当接している間は、扉２は開方向に移動できないので、スプリング４５が圧縮され続ける。
【００４９】
そして、図７に示すように、スライダ２１が更に他方の方向へ移動すると、ロック解除、即ち、ロック部材１５のロック部１５ｇのストッパ面１５ｈと、フック１のストッパ面１ａとの面当接状態が解除される。すると、スプリング４５の弾性反発力により、オープン部材４１がフック１の斜面１ｂを押して、扉２は開方向に移動する。
【００５０】
最後に、操作レバー２７を他方の方向へ移動させる操作力を解除すると、図８に示すように、スプリング３３の付勢力により、スライダ２１のつば部２１ｄは、第２ストッパ部材２３に当接し、ロック部材１５は、スプリング１７の付勢力により、その壁部１５ｆがスライダ２１のつば部２１ｄに当接する状態となる。
【００５１】
このような構成によれば、下記のような効果が得られる。
(1) オープナ機構５をロック機構本体３に組み込んだことにより、ロック装置とオープナ装置とが、それぞれ独立した別の装置である場合に比べて、低コストである。
【００５２】
(2) オープナ機構５をロック機構本体３に組み込んだことにより、独立したロック装置、オープナ装置をそれぞれ取り付ける場合に比べて、取り付けの手間がからない。
(3) フック１は、扉２の全閉時にロック部材１５のロック部１５ｇが係脱可能で、係合時、全閉状態から開方向へ移動する扉２のフック１の移動軌跡と直交する平面と平行な面であって、ロック部材１５のロック部１５ｇと面当接し、扉２の開方向への移動を禁止するストッパ面１ａを有することで、フック１とロック機構本体３との係合力（ロック強度）が大きく、扉に地震等による開扉力が作用しても扉が開かない。
【００５３】
(4) オープナ機構５は、ロック解除手段１９のスライダ２１に設けられ、スライダ２１の移動方向に延びる第２ガイド（ロック部材１５の第２室１５ｃの内壁面）と、第２ガイドに移動可能に係合し、全閉時の扉２のフック１の先端部側に当接可能なオープン部材４１と、ロック解除手段１９のスライダ２１に設けられ、オープン部材４１が当接することにより、オープン部材４１のフック１の先端側に当接する方向への移動を禁止する第３ストッパ（抜け止め部材４３）と、第３ストッパに当接する方向にオープン部材４１を付勢する第３付勢手段（スプリング４５）と、を有し、オープン部材４１の一方の方向の端部側、フック１の先端部側に、オープン部材４１がフック１の先端部側に当接すると、扉２を開方向に移動させる力が発生する第２斜面を設け、フック１のストッパ面１ａとロック機構本体３のロック部材１５のロック部１５ｇとの係合が解除される前に、オープン部材４１が斜面１ｂ（フック１の先端部側）に当接するように第３ストッパを設けたことにより、ロック解除手段１９を駆動してロック部１５ｇとフック１との係合を解除すれば、オープナ機構５が作動して、扉が開く。よって、操作性が良い。
【００５４】
(5) ケース７は、図２，図９に示すように、戸棚４の底板４ｂをくり抜いた凹部４ｃに設けることにより、仕上がりがスマートで、戸棚４への収容物の出し入れを妨害しない。
又、戸棚４の底板４ｂに切り欠き４ｄを設けたことにより、底板４ｂとロック装置のロック解除手段１９のレバー本体部２７ｂとの干渉を防ぐことができる。
【００５５】
更に、戸棚４の底板４ｂに切り欠き４ｅを設けたことにより、底板４ｂと、フック１との干渉を防ぐことができる。
『第２の形態』
図１０−図１１を用いて説明する。図１０−図１１はケースの配置箇所の他の形態を説明する図である。
【００５６】
第１の形態のケース７は、図２，図９に示すように、戸棚４の底板４ｂをくり抜いた凹部４ｃに設けた。しかし、これに限定するものではない。
例えば、図１０に示すように、底板４ｂの下面にケース７を設けてもよい。この場合、フック１’は、扉２の下面に設けられる。
【００５７】
更に、図１１に示すように、ロック装置を設ける戸棚４の底板４ｂの下部の正面に対向する板５１にケース７を設けてもよい。この場合、フック１”は、略コの字形をなし、扉２の下面に設けられる。
【００５８】
このように、ロック機構本体３と、オープナ機構５とは、同一筐体（ケース７）内に収容されたことにより、ケース７を戸棚４の様々な箇所にねじ等で容易に取り付けることができる。
【００５９】
図１０−図１１に示す構成は、既存の棚に後付けで取り付けることが可能である。その際、扉２の前面に露出する箇所の加工がないので、扉２の美観を損なうことがない。
『第３の形態』
図１２を用いて説明する。尚、第１の形態と同一部分には、同一符号を付し、重複する説明は省略する。
【００６０】
本形態と第１の形態との相違点は、ロック解除手段の操作レバーが、ケース７の底板部に形成されたスリットを介して外部に露出する点である。
図において、ケース７の底板部１０１には、スリット１０３が形成されている。ケース７内は、移動可能に係合する断面形状が凹字形のスライダ接続部１０７と、レバー本体部１１５とからなっている。スライダ接続部１０７には、スライダ２１が挿入される差込穴１０７ａが形成され、この差込穴１０７ａに差し込まれたスライダ２１は、ピン１０９を用いてスライダ接続部１０７に接続されている。
【００６１】
スライダ接続部１０７とレバー本体部１１５とは、ピン１１１，１１３を用いて取り付けられる。レバー本体部１１５は、スリット１０３を介して外部に突出し、レバー本体部１１５の外部に突出した部分には、木ねじ１１７、１１９を用いて把手３１が取り付けられている。
【００６２】
このような構成によれば、戸棚の底板に底板とロック装置のロック解除手段のレバー本体部との干渉を防ぐ切り欠きを設ける必要がなくなる。
『第４の形態』
図１３を用いて説明する。尚、第１の形態と同一部分には、同一符号を付し、重複する説明は省略する。
【００６３】
本形態と第１の形態との相違点は、ロック解除手段の操作レバーの動きが回転である点である。
ケース７内には、スライダ接続部１５１が移動可能に係合している。このスライダ接続部１５１には、スライダ２１が挿入される差込穴１５３が形成され、この差込穴１５３に差し込まれたスライダ２１は、ピン１５５を用いてスライダ接続部１５１に接続されている。
【００６４】
ケース７の底板部１６１には、穴１６３が形成されている。穴１６３を介して、ケース７の外部からレバー１７１が挿入されている。このレバー１７１には穴１７１ａが形成され、この穴１７１ａを挿通し、一端部がケース７の凹部１７５、他端部が蓋９の凹部１７７に取り付けられた軸１７９により、レバー１７１はケース７に回転可能に支持されている。
【００６５】
レバー１７１の一方の回転端部側には、操作バー１８１がねじ１８３を用いて取り付けられている。
レバー１７１の他方の端部側は、スライダ接続部１５１に当接可能となっている。
【００６６】
そして、操作バー１８１を矢印方向に押し下げると、スライダ接続部１５１を介してスライダ２１をロック解除方向に移動させる力が発生するように、スライダ接続部１５１には斜面１５１ａ、レバー１７１の他方の端部側には、斜面１７１ｂが形成されている。
【００６７】
このような構成によれば、操作バー１８１を下へ押し下げることにより、ロック解除、オープナ機構の作動を行なうことができる。
又、レバー１７１において、支点となる軸１７９から操作バー１８１が取り付けられる箇所までの長さを適宜設定すれば、てこの原理により、第１、第２、第３の実施形態よりロック解除操作力を小さくすることができる。
【符号の説明】
【００６８】
１  フック
３  ロック機構本体
５  オープナ機構
【図１】
2011006941.tif 000003
【図２】
2011006941.tif 000004
【図３】
2011006941.tif 000005
【図４】
2011006941.tif 000006
【図５】
2011006941.tif 000007
【図６】
2011006941.tif 000008
【図７】
2011006941.tif 000009
【図８】
2011006941.tif 000010
【図９】
2011006941.tif 000011
【図１０】
2011006941.tif 000012
【図１１】
2011006941.tif 000013
【図１２】
2011006941.tif 000014
【図１３】
2011006941.tif 000015
【手続補正書】
【提出日】平成21年9月9日(2009.9.9)
【手続補正１】
【補正対象書類名】特許請求の範囲
【補正対象項目名】全文
【補正方法】変更
【補正の内容】
【特許請求の範囲】
【請求項１】
戸棚の開口に対して回転可能に設けられ、前記開口を閉じる扉に設けられるフックと、
前記戸棚の開口側に設けられ、前記フックと係脱可能で、係合すると、前記開口を閉じた状態の前記扉の開方向の回転を禁止するロック機構本体とからなるロック装置において、
前記ロック装置をロック解除すると、前記ロック状態の前記扉を開方向に押すオープナ機構を前記ロック機構本体に組み込み、
前記ロック機構本体は、
前記開口の開口面方向に延びる第１ガイドと、
該第１ガイドに移動可能に係合し、前記扉の全閉時の前記フックと係脱可能なロック部を有するロック部材と、
該ロック部材が当接することにより、前記ロック部材の一方の方向への移動を禁止する第１ストッパと、
前記第１ストッパに当接する方向に前記ロック部材を付勢する第１付勢手段と、
を有し、
前記フックは、
前記扉の全閉時に前記ロック部材のロック部が係脱可能で、係合時、全閉状態から開方向へ移動する前記扉のフックの移動軌跡と直交する平面と平行な面であって、前記ロック部材のロック部と面当接し、前記扉の開方向への移動を禁止するストッパ面を有し、
前記ロック部材のロック部、前記フックのうち、少なくともどちらか一方に、前記扉が閉方向に移動し、前記ロック部材と前記フックとが当接すると、前記ロック部材を前記第１ストッパから離れる方向に移動させる力が発生する第１斜面を設けたことを特徴とするロック装置。
【請求項２】
前記ロック機構本体は、
前記第１付勢手段の付勢力に抗して、前記第１ストッパを押して、前記ロック部材を移動させ、前記ロック部と前記フックとの係合を解除するロック解除手段を有し、
該ロック解除手段は、
前記第１ガイドに移動可能に設けられ、前記第１ストッパが設けられたスライダと、
前記第１ガイドに設けられ、前記第１ストッパが当接し、前記スライダの一方の方向への移動を禁止する第２ストッパと、
前記第１ストッパを前記第２ストッパに当接する方向に前記スライダを付勢する第２付勢手段と、
からなり、
前記オープナ機構は、
前記ロック解除手段のスライダに設けられ、前記スライダの移動方向に延びる第２ガイドと、
該第２ガイドに移動可能に係合し、全閉時の前記扉の前記フックの先端部側に当接可能なオープン部材と、
前記ロック解除手段のスライダに設けられ、前記オープン部材が当接することにより、前記オープン部材の前記フックの先端側に当接する方向への移動を禁止する第３ストッパと、
前記第３ストッパに当接する方向に前記オープン部材を付勢する第３付勢手段と、
を有し、
前記オープン部材の一方の方向の端部側、前記フックの先端部側のうち、少なくともどちらか一方に、前記オープン部材が前記フックの先端部側に当接すると、前記扉を開方向に移動させる力が発生する第２斜面を設け、
フックのストッパ面と前記ロック機構本体のロック部材のロック部との係合が解除される前に、前記オープン部材が前記フックの先端部側に当接するように前記第３ストッパを設けたことを特徴とする請求項１記載のロック装置。
【請求項３】
前記ロック機構本体と、オープナ機構とは、同一筐体内に収容されていることを特徴とする請求項１または２記載のロック装置。
【手続補正２】
【補正対象書類名】明細書
【補正対象項目名】０００７
【補正方法】変更
【補正の内容】
【０００７】
上記課題を解決する請求項１に係る発明は、戸棚の開口に対して回転可能に設けられ、前記開口を閉じる扉に設けられるフックと、前記戸棚の開口側に設けられ、前記フックと係脱可能で、係合すると、前記開口を閉じた状態の前記扉の開方向の回転を禁止するロック機構本体とからなるロック装置において、前記ロック装置をロック解除すると、前記ロック状態の前記扉を開方向に押すオープナ機構を前記ロック機構本体に組み込み、前記ロック機構本体は、前記開口の開口面方向に延びる第１ガイドと、該第１ガイドに移動可能に係合し、前記扉の全閉時の前記フックと係脱可能なロック部を有するロック部材と、該ロック部材が当接することにより、前記ロック部材の一方の方向への移動を禁止する第１ストッパと、前記第１ストッパに当接する方向に前記ロック部材を付勢する第１付勢手段と、を有し、前記フックは、前記扉の全閉時に前記ロック部材のロック部が係脱可能で、係合時、全閉状態から開方向へ移動する前記扉のフックの移動軌跡と直交する平面と平行な面であって、前記ロック部材のロック部と面当接し、前記扉の開方向への移動を禁止するストッパ面を有し、前記ロック部材のロック部、前記フックのうち、少なくともどちらか一方に、前記扉が閉方向に移動し、前記ロック部材と前記フックとが当接すると、前記ロック部材を前記第１ストッパから離れる方向に移動させる力が発生する第１斜面を設けたことを特徴とするロック装置である。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
請求項２に係る発明は、前記ロック機構本体は、前記第１付勢手段の付勢力に抗して、前記第１ストッパを押して、前記ロック部材を移動させ、前記ロック部と前記フックとの係合を解除するロック解除手段を有し、該ロック解除手段は、前記第１ガイドに移動可能に設けられ、前記第１ストッパが設けられたスライダと、前記第１ガイドに設けられ、前記第１ストッパが当接し、前記スライダの一方の方向への移動を禁止する第２ストッパと、前記第１ストッパを前記第２ストッパに当接する方向に前記スライダを付勢する第２付勢手段と、からなり、前記オープナ機構は、前記ロック解除手段のスライダに設けられ、前記スライダの移動方向に延びる第２ガイドと、該第２ガイドに移動可能に係合し、全閉時の前記扉の前記フックの先端部側に当接可能なオープン部材と、前記ロック解除手段のスライダに設けられ、前記オープン部材が当接することにより、前記オープン部材の前記フックの先端側に当接する方向への移動を禁止する第３ストッパと、前記第３ストッパに当接する方向に前記オープン部材を付勢する第３付勢手段と、を有し、前記オープン部材の一方の方向の端部側、前記フックの先端部側のうち、少なくともどちらか一方に、前記オープン部材が前記フックの先端部側に当接すると、前記扉を開方向に移動させる力が発生する第２斜面を設け、フックのストッパ面と前記ロック機構本体のロック部材のロック部との係合が解除される前に、前記オープン部材が前記フックの先端部側に当接するように前記第３ストッパを設けたことを特徴とする請求項１記載のロック装置である。
【手続補正５】
【補正対象書類名】明細書
【補正対象項目名】００１０
【補正方法】変更
【補正の内容】
【００１０】
請求項３に係る発明は、前記ロック機構本体と、オープナ機構とは、同一筐体内に収容されていることを特徴とする請求項１または２記載のロック装置である。
【手続補正６】
【補正対象書類名】明細書
【補正対象項目名】００１１
【補正方法】変更
【補正の内容】
【００１１】
請求項１−請求項３に係る発明によれば、前記ロック装置をロック解除すると、前記ロック状態の前記扉を開方向に押すオープナ機構を前記ロック機構本体に組み込んだことにより、ロック装置とオープナ装置とが、それぞれ独立した別の装置である場合に比べて、低コストである。
【手続補正７】
【補正対象書類名】明細書
【補正対象項目名】００１２
【補正方法】変更
【補正の内容】
【００１２】
又、オープナ機構をロック機構本体に組み込んだことにより、独立したロック装置、オープナ装置をそれぞれ取り付ける場合に比べて、取り付けの手間がからない。
前記フックは、前記扉の全閉時に前記ロック部材のロック部が係脱可能で、係合時、全閉状態から開方向へ移動する前記扉のフックの移動軌跡と直交する平面と平行な面であって、前記ロック部材のロック部と面当接し、前記扉の開方向への移動を禁止するストッパ面を有することで、フックとロック機構本体との係合力（ロック強度）が大きく、扉に地震等による開扉力が作用しても扉が開かない。
【手続補正８】
【補正対象書類名】明細書
【補正対象項目名】００１３
【補正方法】変更
【補正の内容】
【００１３】
請求項２に係る発明によれば、前記オープナ機構は、前記ロック解除手段のスライダに設けられ、前記スライダの移動方向に延びる第２ガイドと、該第２ガイドに移動可能に係合し、全閉時の前記扉の前記フックの先端部側に当接可能なオープン部材と、前記ロック解除手段のスライダに設けられ、前記オープン部材が当接することにより、前記オープン部材の前記フックの先端側に当接する方向への移動を禁止する第３ストッパと、前記第３ストッパに当接する方向に前記オープン部材を付勢する第３付勢手段と、を有し、前記オープン部材の一方の方向の端部側、前記フックの先端部側のうち、少なくともどちらか一方に、前記オープン部材が前記フックの先端部側に当接すると、前記扉を開方向に移動させる力が発生する第２斜面を設け、フックのストッパ面と前記ロック機構本体のロック部材のロック部との係合が解除される前に、前記オープン部材が前記フックの先端部側に当接するように前記第３ストッパを設けたことにより、ロック解除手段を駆動して前記ロック部と前記フックとの係合を解除すれば、オープナ機構が作動して、扉が開く。よって、操作性が良い。
【手続補正９】
【補正対象書類名】明細書
【補正対象項目名】００１４
【補正方法】変更
【補正の内容】
【００１４】
請求項３に係る発明によれば、前記ロック機構本体と、オープナ機構とは、同一筐体内に収容されたことにより、筐体を戸棚の開口側にねじ等で容易に取り付けることができる。